(57)【要約】【課題】台車の底面部にキャスタの取付座を、取付ボルトを使用せずに、比較的簡単に且つガタツキなく取り付けることができる台車を提供する。【解決手段】キャスタ取付凹部２は、略矩形の取付座を、台車本体１の前後方向に対し斜め状態で挿入可能に形成される。キャスタ１０の取付座１１を斜め状態で挿入し取付座１１の座面に垂直な軸の回りで取付座１１を回して正規位置に達したとき、取付座１１の３個の角部１２が嵌入する嵌入凹部３，６，７がキャスタ取付凹部２の３つの角部に形成される。取付座１１を回して取付座の３個の角部が嵌入凹部３，６，７に嵌入し正規位置に達した状態で、嵌合押圧部材２０を嵌合部４に嵌め込み、嵌合押圧部材２０により取付座の１つの角部が台車本体１の底面部に押し付け固定される。【選択図】図１
2013032111.tif 000002
【特許請求の範囲】
【請求項１】
台車本体の底面部にキャスタ取付凹部が形成され、該キャスタ取付凹部にキャスタの取付座を挿入し、該キャスタ取付凹部に設けた嵌合部に嵌合押圧部材を嵌入して、該キャスタの取付座を該キャスタ取付凹部に取り付けてなる台車において、
該キャスタ取付凹部は、略矩形の取付座を、台車の前後方向に対し斜め状態で挿入可能に形成され、該取付座を斜め状態で挿入し該取付座の座面に垂直な軸の回りで該取付座を回して正規位置に達したとき、該取付座の３個の角部が嵌入する嵌入凹部が該キャスタ取付凹部の３つの角部に形成され、
該取付座を回して該取付座の３個の角部が該嵌入凹部に嵌入し正規位置に達した状態で、前記嵌合押圧部材を前記嵌合部に嵌め込み、該嵌合押圧部材により該取付座の１つの角部が該台車の底面部に押し付け固定されることを特徴とする台車。
【請求項２】
前記嵌合押圧部材には、係止爪が設けられ、該嵌合押圧部材を前記嵌合部に嵌入したとき、該係止爪が係止される係止部が該嵌合部内に設けられたことを特徴とする請求項１記載の台車。
【請求項３】
前記嵌合押圧部材には、嵌合ピンが設けられ、該嵌合押圧部材を前記嵌合部に嵌入したとき、該嵌合ピンが嵌合する嵌合孔が該嵌合部の縁部に設けられたことを特徴とする請求項２記載の台車。
【請求項４】
前記嵌合押圧部材の嵌合ピンは、前記嵌合孔に嵌入するとき、前記キャスタの取付座の取付孔を貫通して嵌め込まれることを特徴とする請求項３記載の台車。
【発明の詳細な説明】
【技術分野】
【０００１】
本発明は、スーパーマーケット、ホームセンター、各種量販店などで使用されるキャスタを備えた台車に関し、特に、台車本体の底面部にキャスタを簡便に安定して取り付けることができる台車に関する。
【背景技術】
【０００２】
スーパーマーケット、ホームセンター、各種量販店などで、キャスタを備えた各種の台車が、商品等を店舗内に搬送し、或いは商品等を台車本体上に載置して陳列するように使用されている。この種の台車の底面部に取り付けられるキャスタは、通常、取付ボルトを用いて台車の底面部にキャスタの取付座を固定して取り付けを行なっている。
【０００３】
一方、台車に対するキャスタの取り付けを簡便に行なうために、取付ボルトを使用せずに、キャスタの取付座を台車の底面部に取り付ける方法も開発されており、下記特許文献１において、取付ボルトを用いずにキャスタの取付座を台車の底面部に取り付ける構造が提案されている。
【先行技術文献】
【特許文献】
【０００４】
【特許文献１】特開２０１０−２６４８５１号公報
【発明の概要】
【発明が解決しようとする課題】
【０００５】
この従来のキャスタの取付構造は、合成樹脂により形成された台車の底部にキャスタ取付凹部に形成し、そのキャスタ取付凹部に、キャスタの取付座の一方の縁部（矩形取付座の一辺部）を挿入する挿入空間部を設け、その挿入空間部の反対側の取付凹部に、取付支持ブロックを嵌め込むための嵌合空間部を設け、取付支持ブロックを嵌合空間部に嵌め込むことにより、キャスタの取付座の他方の縁部を下から支持する構造となっている。
【０００６】
キャスタを台車の底部に取り付ける場合、キャスタの取付座を台車底部のキャスタ取付凹部に挿入しながら、キャスタの取付座を一方にスライドさせ、キャスタの取付座の一方の縁部（矩形取付座の他方の一辺部）を台車底部の挿入空間部に挿入し、その状態で、取付支持ブロックを台車底部の嵌合空間部にはめ込み、取付座の他方の縁部を取付支持ブロックにより下から支持することとなる。
【０００７】
しかし、この従来のキャスタの取付構造は、取付ボルトを使用せずに、台車の底面部にキャスタを簡単に取り付けることができるものの、比較的大型の取付支持ブロックを台車底部の嵌合空間部にはめ込み、この取付支持ブロックにより取付座の一辺部を支持する、つまり、キャスタ取付凹部に挿入したキャスタの取付座を一方向にスライドさせて、取付座の一辺部を挿入空間部に挿入し、最後に挿入した可動的な大型の取付支持ブロックにより、キャスタの矩形取付座の他方の一辺部を下から支持することとなる。
【０００８】
このため、可動的に取り付けられた取付支持ブロックにおける、取付座を支持する支持面積が取付座を固定保持する面積の約半分を占めることから、使用に伴い、キャスタの取付座にガタツキが発生しやすいという課題があった。
【０００９】
本発明は、上述の課題を解決するものであり、台車本体の底面部にキャスタの取付座を、取付ボルトを使用せずに、比較的簡単に且つガタツキなく取り付けることができる台車を提供することを目的とする。
【課題を解決するための手段】
【００１０】
本発明に係る台車は、台車本体の底面部にキャスタ取付凹部が形成され、該キャスタ取付凹部にキャスタの取付座を挿入し、該キャスタ取付凹部に設けた嵌合部に嵌合押圧部材を嵌入して、該キャスタの取付座を該キャスタ取付凹部に取り付けてなる台車において、
該キャスタ取付凹部は、略矩形の取付座を、台車の前後方向に対し斜め状態で挿入可能に形成され、該取付座を斜め状態で挿入し該取付座の座面に垂直な軸の回りで該取付座を回して正規位置に達したとき、該取付座の３個の角部が嵌入する嵌入凹部が該キャスタ取付凹部の３つの角部に形成され、
該取付座を回して該取付座の３個の角部が該嵌入凹部に嵌入し正規位置に達した状態で、前記嵌合押圧部材を前記嵌合部に嵌め込み、該嵌合押圧部材により該取付座の１つの角部が該台車の底面部に押し付け固定されることを特徴とする。
【００１１】
この発明によれば、キャスタの取付座を台車本体の底面部のキャスタ取付凹部に取り付ける場合、取付座を斜め状態で挿入し、取付座の座面に垂直な軸の回りで取付座を回して、取付座の３個の角部がキャスタ取付凹部の嵌入凹部に嵌め込まれ、さらに取付座の残り１つの角部が嵌合押圧部材により底面部に押し付け固定されるので、取付座を挿入し、回して嵌め込み、嵌合押圧部材を嵌合させるのみの簡単な操作で、キャスタを台車に取り付けることができる。また、キャスタの取付座の３つの角部が固定部である底面部の嵌入凹部に嵌め込まれ、残り１個の角部が嵌合押圧部材の嵌め込みにより押圧固定されるので、キャスタをガタツキなく固定することができる。
【００１２】
ここで、上記嵌合押圧部材には、係止爪が設けられ、該嵌合押圧部材を上記嵌合部に嵌入したとき、該係止爪が係止される係止部を該嵌合部内に設けることが好ましい。さらに、上記嵌合押圧部材には、嵌合ピンが設けられ、該嵌合押圧部材を上記嵌合部に嵌入したとき、該嵌合ピンが嵌合する嵌合孔を該嵌合部の縁部に設けることが好ましい。これによれば、嵌合押圧部材を底面部のキャスタ取付凹部の嵌合部に密に嵌め込み、さらに強固に嵌め込み固定することができる。
【００１３】
また、上記嵌合押圧部材の嵌合ピンは、上記嵌合孔に嵌入するとき、キャスタの取付座の取付孔を貫通して嵌め込み固定することが好ましい。これによれば、さらにキャスタの取付座をガタツキなく定位置に固定することができる。
【発明の効果】
【００１４】
この発明の台車によれば、台車本体の底面部にキャスタの取付座を、取付ボルトを使用せずに、比較的簡単に且つガタツキなく取り付けることができる。
【図面の簡単な説明】
【００１５】
【図１】本発明の一実施形態を示す台車の底面部を斜め下方から見た斜視図である。
【図２】キャスタを外した状態の分解斜視図である。
【図３】キャスタを外した状態で、台車を下方から見た底面図である。
【図４】キャスタを外した状態の分解正面図である。
【図５】嵌合押圧部材の底面図（ａ）、同平面図（ｂ）、同斜視図（ｃ）、同斜視図（ｄ）、同斜視図（ｅ）、同斜視図（ｆ）である。
【図６】台車のキャスタ取付凹部の嵌合部に、嵌合押圧部材を嵌め込む状態を示す拡大斜視図である。
【図７】台車のキャスタ取付凹部にキャスタの取付座を嵌め込む際の状態を示す部分底面図である。
【図８】台車のキャスタ取付凹部にキャスタの取付座を嵌め込んだ後、嵌合押圧部材を嵌め込む状態を示す部分斜視図である。
【図９】台車のキャスタ取付凹部にキャスタを取り付け固定した状態の底面図である。
【発明を実施するための形態】
【００１６】
以下、本発明の一実施形態を図面に基づいて説明する。図１に示す台車は、スーパーマーケット、ホームセンター、各種量販店などで使用される平台車であり、その台車本体１の底面部にキャスタ１０が取り付けられる。
【００１７】
台車本体１は略矩形の板状に形成され、その底面部には、キャスタ取付凹部２が角部近傍の４箇所に形成され、各箇所にキャスタ１０が取り付けられる。キャスタ取付凹部２に取り付けられるキャスタ１０は、その上部に矩形板状の取付座１１が設けられており、この取付座１１を介して台車本体１の底面部のキャスタ取付凹部２に取り付けられる。
【００１８】
キャスタ１０の取付座１１は、図３，４に示す如く、略矩形の板状に形成されて、４つの角部１２を有し、各角部１２の近傍に、取付孔１３が形成される。なお、キャスタ１０はホイールが旋回自在な自在キャスタであるが、旋回しない固定キャスタであってもよい。
【００１９】
台車本体１は、合成樹脂により一体成形され、図２に示すように、４箇所のキャスタ取付凹部２は、キャスタ１０の取付座１１が挿入可能なように、板状の空間として、台車本体１の底面部に形成される。
【００２０】
図２、図６に示すように、キャスタ取付凹部２には、その３つの角部近傍に、キャスタ１０の取付座１１の角部１２を嵌め込み可能な、嵌入凹部３、６，７が押え部３ａ，６ａ，７ａの内側に板状空間として形成され、残り１つの角部（台車本体の底面部の内側寄りの角部）近傍には、嵌入凹部、押え部はなく、平坦形状となっている。残り１つの角部近傍にあたる台車本体１の底面部の平坦部には、後述の嵌合押圧部材２０を嵌め込むための嵌合部４が図６のように形成されている。
【００２１】
このようなキャスタ取付凹部２の１つの角部近傍に設けた平坦部によって、キャスタ１０の取付座１１をキャスタ取付凹部２に嵌め込む際、図７に示すように、台車本体１の底面部のキャスタ取付凹部２における嵌入凹部、押え部のない平坦部から、キャスタ１０の取付座１１を斜めに進入させ、取付座１１を回すようにして、取付座１１の３個の角部１２を、押え部３ａ，６ａ，７ａ付きの嵌入凹部３、６，７内に挿入して嵌め込むようになっている。
【００２２】
つまり、キャスタ取付凹部２の３つの角部近傍に設けた押え部３ａ，６ａ，７ａ付きの嵌入凹部３、６，７は、各々、取付座１１の角部１２を挿入したとき、密に嵌め込まれる形状と寸法に形成され、キャスタ取付凹部２の嵌入凹部、押え部のない１つの角部近傍は、取付座１１をスライド可能な平坦部として形成されている。
【００２３】
キャスタ取付凹部２は、図７のように、キャスタ１０の略矩形の取付座１１を、台車本体１の前後方向（図７のＦ・Ｒ方向）に対し斜め状態で挿入可能に形成される。キャスタ１０の取付座１１を斜め状態で挿入し取付座１１の座面に垂直な軸の回りで取付座１１を回して正規位置（図８）に達したとき、取付座１１の３個の角部１２が嵌入する嵌入凹部３，６，７が、図７の如く、キャスタ取付凹部２の３つの角部に形成される。取付座１１を回して取付座の３個の角部１２が嵌入凹部３，６，７に嵌入し正規位置に達した状態で、嵌合押圧部材２０を嵌合部４に嵌め込み、嵌合押圧部材２０により取付座１１の１つの角部１２が台車本体１の底面部に押し付け固定されるようになっている。
【００２４】
図３、図６に示す如く、キャスタ取付凹部２の嵌入凹部、押え部のない１つの角部近傍に、嵌合押圧部材２０を嵌め込むための、嵌合部４が形成される。この嵌合部４は、図５に示す嵌合押圧部材２０を嵌合可能に形成され、且つその嵌着時にキャスタ１０の１つの角部１２（押え部３ａ，６ａ，７ａ付きの嵌入凹部３、６，７に嵌入されない角部）を押圧して保持するように形成される。図３に示すように、上記キャスタ取付凹部２は、台車本体１の底面部の４つの角部近傍に、同様に形成され、各キャスタ取付凹部２にキャスタ１０の取付座１１が取り付けられる。
【００２５】
嵌合押圧部材２０は、図５に示すように、略直角三角形の平面を有する三角形本体２１を有して、合成樹脂により成形される。三角形本体２１の２辺の上部にリブ２１ａが直角で且つ直線状に突設され、嵌合押圧部材２０は、この２本のリブ２１ａを台車本体１のキャスタ取付凹部２の嵌合部４内に嵌入し、三角形本体２１の内側でキャスタ１０の取付座１１を押えると共に、直角関係にある２本のリブ２１ａの内側でキャスタ１０の取付座１１の角部の２辺を押えて嵌着される構造となっている。
【００２６】
さらに、図５に示すように、嵌合押圧部材２０の角部上には、係止爪２２が突設され、嵌合押圧部材２０をキャスタ取付凹部２の嵌合部４内に嵌入したとき、係止爪２２が嵌合部４の角部内の係止部５（図６）に係止され、嵌合押圧部材２０がキャスタ１０の取付座１１の角部１２を押し付けガタツキなく支持するようになっている。
【００２７】
また、嵌合押圧部材２０の内側上面には、嵌合ピン２３が突設され、嵌合押圧部材２０をキャスタ取付凹部２の嵌合部４内に嵌入したとき、嵌合ピン２３が嵌合部４の角部内の嵌合孔８（図６）に嵌入し、且つ取付座１１の取付孔１３に嵌入し、キャスタ１０の取付座１１を定位置で強固に保持するようになっている。
【００２８】
次に、キャスタ１０を台車本体１の底面部に取り付ける際の動作を説明すると、先ず、台車本体１を裏返した状態で、図７に示すように、キャスタ１０の取付座１１を、台車本体１の前後方向（図７のＦ・Ｒ方向）に対し斜めの状態でキャスタ取付凹部２内に挿入する。
【００２９】
その後、取付座１１の座面に垂直な軸の回りで取付座１１を、図７の時計方向に回し、取付座１１が正規位置（図８の台車本体１の前後方向に沿った方向位置）に達したとき、取付座１１の３個の角部１２が図８のように、キャスタ取付凹部２の３つの角部の嵌入凹部３，６，７に密に嵌入した状態となる。
【００３０】
次に、キャスタ１０の取付座１１が嵌入凹部３，６，７に嵌入し正規位置に達した上記の状態で、図８のように、嵌合押圧部材２０を嵌合部４に嵌め込む。このとき、嵌合押圧部材２０の三角形本体２１のリブ２１ａが嵌合部４に嵌入されると共に、係止爪２２が、嵌合部４の角部内の係止部５に係止され、この状態で、嵌合押圧部材２０がキャスタ１０の取付座１１の角部１２を押し付けるため、取付座１１をガタツキなく支持することができる。また、同時に、嵌合押圧部材２０の内側上面の嵌合ピン２３は、取付座１１の取付孔１３に嵌入しながら、嵌合部４の角部内の嵌合孔８に嵌入する。これにより、キャスタ１０の取付座１１は定位置で強固に保持されることとなる。
【００３１】
上記のようなキャスタ１０の取付操作は、台車本体１の底面部の４つのキャスタ取付凹部２において、同様に実施され、図９のように、各角部近傍に４個のキャスタ１０が簡単に且つ強固に取り付けられる。なお、使用によりキャスタ１０に不具合が生じた場合、キャスタ１０を交換することになるが、この場合、係止爪２２を係止部５から外して、嵌合押圧部材２０を取り外せば、容易にキャスタ１０の交換を行うことができる。
【００３２】
このように、キャスタ１０の取付座１１を台車本体１の底面部のキャスタ取付凹部２に取り付ける場合、取付座１１を斜めの状態で挿入し、取付座１１の座面に垂直な軸の回りで取付座１１を回して、取付座１１の３個の角部１２をキャスタ取付凹部２の嵌入凹部３，６，７に嵌め込まれ、取付座１１の残り１つの角部１２を嵌合押圧部材２０によって押し付けるように固定するので、取付座１１を挿入し、回して嵌め込み、嵌合押圧部材２０を嵌合させるのみの簡単な操作で、キャスタ１０を台車に取り付けることができる。また、キャスタ１０の取付座１１の３つの角部１２が固定部である底面部の嵌入凹部３，６，７に嵌め込まれ、残り１個の角部１２が嵌合押圧部材２０の嵌め込みにより押圧固定されるので、キャスタ１０をガタツキなく強固に固定することができる。
【符号の説明】
【００３３】
１      台車本体
２      キャスタ取付凹部
３      嵌入凹部
３ａ    押え部
４      嵌合部
５      係止部
６      嵌入凹部
６ａ    押え部
７      嵌入凹部
７ａ    押え部
８      嵌合孔
１０    キャスタ
１１    取付座
１２    角部
１３    取付孔
２０    嵌合押圧部材
２１    三角形本体
２１ａ  リブ
２２    係止爪
２３    嵌合ピン
【図１】
2013032111.tif 000003
【図２】
2013032111.tif 000004
【図３】
2013032111.tif 000005
【図４】
2013032111.tif 000006
【図５】
2013032111.tif 000007
【図６】
2013032111.tif 000008
【図７】
2013032111.tif 000009
【図８】
2013032111.tif 000010
【図９】
2013032111.tif 000011